(57)【要約】【課題】照射範囲を変更可能なフラッシュライトにおいて、長さ等、全体の形状を変化させることなく、照射範囲を変更できるようにする。【解決手段】フラッシュライトは、光源と、光源からの光を外部に出射させる開口部を備えた筒状の枠体と、光源を保持するホルダと、ホルダを、枠体内部に収容する収容部材とを備える。そして、収容部材は、外部操作によって、ホルダを枠体の中心軸方向に移動させるように構成されている。【選択図】図５
2018129194.tif 000002
【特許請求の範囲】
【請求項１】
光源と、
前記光源からの光を外部に出射させる開口部を備えた筒状の枠体と、
前記光源を保持するホルダと、
前記ホルダを、前記枠体内部に前記枠体の中心軸方向に移動可能に収容する収容部材と、
を備え、前記収容部材は、外部操作によって、前記ホルダを前記中心軸方向に移動させるよう構成されているフラッシュライト。
【請求項２】
前記ホルダは、円形で、円の中心部分に前記光源を保持するように構成されており、
前記収容部材は、
前記枠体と前記ホルダとの間に、前記枠体の中心軸周りに回動可能に配置され、内壁面が前記ホルダの外周面と係合することにより、自身の回動により前記ホルダを前記枠体の中心軸方向に移動させる筒状の回動部材と、
前記回動部材の内部に配置されて、前記ホルダが前記回動部材と共に回動するのを規制し、前記ホルダを前記枠体の中心軸方向に移動可能に保持する筒状の保持部材と、
を備え、前記回動部材は、前記枠体から外部に露出した回動操作用の操作部を有する、請求項１に記載のフラッシュライト。
【請求項３】
前記ホルダには、前記光源からの光を前記枠体の前記開口部方向に反射させるリフレクタが設けられている、請求項１又は請求項２に記載のフラッシュライト。
【請求項４】
前記枠体の前記開口部には、前記光源からの光を外部の照射対象物に照射するためのレンズが設けられている、請求項１〜請求項３の何れか１項に記載のフラッシュライト。
【請求項５】
前記レンズは、レンズ面が前記開口部からの光の出射方向に突出されたドーム型レンズにて構成されている請求項４に記載のフラッシュライト。
【請求項６】
前記枠体の前記開口部とは反対側は、使用者が把持するための把持部を有する本体ケースに取り付けられており、
前記光源は、前記本体ケースに着脱自在に装着される電動工具用のバッテリパックから電力供給を受けて点灯するよう構成されている、請求項１〜請求項５の何れか１項に記載のフラッシュライト。
【請求項７】
前記光源は、ＬＥＤにて構成されており、前記ホルダ、前記回動部材、及び、前記保持部材の少なくとも一つは、前記ＬＥＤの点灯により発生する熱を放熱可能な金属製である、請求項１〜請求項６の何れか１項に記載のフラッシュライト。
【請求項８】
前記光源から引き出された電力供給用のリード線は、チューブで保護されている、請求項１〜請求項７の何れか１項に記載のフラッシュライト。
【発明の詳細な説明】
【技術分野】
【０００１】
本開示は、照射範囲を変更可能なフラッシュライトに関する。
【背景技術】
【０００２】
フラッシュライトとして、開口部にレンズが設けられた筒状の枠体と、枠体の中空部内に摺動可能に設けられ、枠体の開口部側先端部分に光源（ＬＥＤ）が固定されたスイッチハウジングとを備えたものが知られている（例えば、特許文献１参照）。
【０００３】
この種のフラッシュライトによれば、枠体内でスイッチハウジングを摺動させることで、ＬＥＤとレンズとの間の距離を変化させて、枠体の開口部から出射される光による照射範囲を調整することができる。
【先行技術文献】
【特許文献】
【０００４】
【特許文献１】米国特許７１４７７３４３号
【発明の概要】
【発明が解決しようとする課題】
【０００５】
しかしながら、特許文献１において、スイッチハウジングは、枠体内に挿入されて枠体のレンズとは反対側の開口部から突出されるリヤハウジングに固定されている。
このため、枠体の開口部から出射される光による照射範囲を調整するには、枠体からのリヤハウジングの突出長さを変化させる必要があり、照射範囲を調整すると、フラッシュライト全体の長さが変化するという問題があった。
【０００６】
また、この種のフラッシュライトを狭い場所で使用し、照射範囲の調整のためにフラッシュライトの全長を伸ばすと、フラッシュライトが周囲に当たってしまい、使い勝手が悪くなるという問題もある。
【０００７】
本開示の一局面は、照射範囲を変更可能なフラッシュライトにおいて、長さ等、全体の形状を変化させることなく、照射範囲を変更できるようにすることが望ましい。
【課題を解決するための手段】
【０００８】
本開示の一局面のフラッシュライトは、光源と、光源からの光を外部に出射させる開口部を備えた筒状の枠体と、光源を保持するホルダと、ホルダを、枠体内部に枠体の中心軸方向に移動可能に収容する収容部材とを備える。そして、収容部材は、外部操作によって、ホルダを中心軸方向に移動させるよう構成されている。
【０００９】
このため、本開示のフラッシュライトによれば、外部操作によって、光源のホルダを、枠体内部で、枠体の中心軸方向に移動させることができるようになる。そして、このようにホルダを枠体内部で移動させれば、枠体の開口部に対する光源の位置が変化し、開口部から出射される光による照射範囲も変化する。
【００１０】
従って、本開示のフラッシュライトによれば、開口部から出射させる光の照射範囲を調整するために、上述した従来装置のように、枠体からホルダの支持部材を突出させて、その突出量を変化させる必要がない。
【００１１】
よって、本開示のフラッシュライトによれば、フラッシュライト全体の形状（詳しくは長さ）を変化させることなく、光の照射範囲を調整することができるようになる。このため、狭い場所でも照射範囲を容易に調整できるようになり、フラッシュライトの使い勝手を向上できる。
【００１２】
ここで、ホルダは、円形で、円の中心部分に光源を保持するように構成され、収容部材は、筒状の回動部材と、筒状の保持部材とを備え、操作部を介して回動部材を回動させることにより、ホルダを枠体の中心軸方向に移動させるように構成されていてもよい。
【００１３】
この場合、回動部材は、枠体とホルダとの間に、枠体の中心軸周りに回動可能に配置され、内壁面がホルダの外周面と係合することにより、自身の回動によりホルダを枠体の中心軸方向に移動させるように構成される。
【００１４】
また、保持部材は、回動部材の内部に配置されて、ホルダが回動部材と共に回動するのを規制し、ホルダを枠体の中心軸方向に移動可能に保持するように構成される。そして、回動部材には、枠体から外部に露出した回動操作用の操作部が設けられる。
【００１５】
従って、ホルダ及び収容部材をこのように構成した場合、操作部を回動操作すれば、回動部材が枠体の中心軸周りに回動して、光源が枠体の中心軸方向に移動することになる。このため、上記のように、フラッシュライト全体の形状を変化させることなく、光の照射範囲を調整することができるようになり、フラッシュライトの使い勝手を向上することが可能となる。
【００１６】
一方、ホルダには、光源からの光を枠体の開口部方向に反射させるリフレクタが設けられていてもよい。また、枠体の開口部には、光源からの光を外部の照射対象物に照射するためのレンズが設けられていてもよい。
【００１７】
このようにすれば、外部の照射対象物に対し、光源からの光を、効率よく、均一に照射することができるようになる。
またこの場合、レンズを、レンズ面が開口部からの光の出射方向に突出されたドーム型レンズにて構成すれば、光源からの光をより均一に拡散させることができるようになり、照射範囲を均一に照らすことができるようになる。
【００１８】
また次に、枠体の開口部とは反対側は、使用者が把持するための把持部を有する本体ケースに取り付けられ、光源は、本体ケースに着脱自在に装着される電動工具用のバッテリパックから電力供給を受けて点灯するよう構成されていてもよい。
【００１９】
このようにすれば、本開示のフラッシュライトは、電動工具用のバッテリパックを利用して点灯できるようになり、例えば、電動工具が用いられる作業エリアで、他の電動工具とバッテリパックを共用することが可能となる。
【００２０】
また、光源は、ＬＥＤにて構成されていてもよい。この場合、ＬＥＤを発光させると、発熱するので、その熱を放熱するために、ＬＥＤ周囲のホルダ、回動部材、及び、保持部材の少なくとも一つは、放熱可能な金属製としてもよい。
【００２１】
また、光源から引き出された電力供給用のリード線は、チューブで保護されていてもよい。
つまり、照射範囲を調整する際、光源は、ホルダと一緒に、枠体内で枠体の中心軸方向に移動することになるため、その移動の邪魔にならないように、リード線は弛ませる必要がある。しかし、リード線を弛ませると、フラッシュライトの移動等に伴う振動によってリード線が変位し、その結果、内壁等に接触することにより、断線・短絡等の故障が生じることが考えられる。
【００２２】
これに対し、リード線をチューブで保護するようにすれば、リード線が振動等で内壁等に接触した際の、断線・短絡等の故障が発生するのを抑制できるようになる。
【図面の簡単な説明】
【００２３】
【図１】実施形態のフラッシュライト全体の構成を表す斜視図である。
【図２】発光部が取り外された本体ケースの外観を表す斜視図である。
【図３】本体ケースに取り付けられるバッテリパックの構成を表す斜視図である。
【図４】フラッシュライトの内部構成を表す断面図である。
【図５】フラッシュライトの発光部の構成を表す分解斜視図である。
【図６】フラッシュライトの発光部の変形例を表す分解斜視図である。
【図７】図６の発光部を備えたフラッシュライトの内部構成を表す断面図である。
【発明を実施するための形態】
【００２４】
以下に本開示の実施形態を図面と共に説明する。
図１に示すように、本実施形態のフラッシュライト１は、光源としてのＬＥＤ３を内蔵した発光部１０と、発光部１０が取り付けられる本体ケース４０と、を備える。
【００２５】
図１，図２に示すように、本体ケース４０は、長尺形状で使用者が把持可能な把持部４２を有する。そして、把持部４２の長手方向一端側(図１，図２における上方）には、発光部１０を回動可能に固定するための固定部４４が設けられ、把持部４２の他端側（図１，図２における下方）には、バッテリパック５０を装着するための装着部４６が設けられている。
【００２６】
バッテリパック５０は、リチウムイオン電池など、繰り返し充電可能なバッテリを内蔵した電動工具用のものであり、装着部４６の下面に対し、本体ケース４０の前方側（図１，図２の左側）から後方側にスライドさせることで装着できるようになっている。
【００２７】
つまり、図３に示すように、バッテリパック５０の上面には、本体ケース４０の装着部４６の下面に設けられたレールに、本体ケース４０の前方側から係合可能な一対のレール５２が設けられている。
【００２８】
このため、バッテリパック５０は、その上面を、本体ケース４０の装着部４６の下面に当接させた状態で、装着部４６への装着方向或いは装着部４６からの離脱方向へとスライドさせることができる。
【００２９】
また、レール５２の後端側には、本体ケース４０の装着部４６に設けられた係合孔に係合して、バッテリパック５０を装着部４６に位置決め固定するための係合突起５４が設けられている。
【００３０】
この係合突起５４は、ばねの付勢力にてバッテリパック５０から突出されており、図１，図２に示す操作部５６を押下することにより、バッテリパック５０側に変位させることができる。
【００３１】
このため、バッテリパック５０が本体ケース４０の装着部４６に装着されている状態で、操作部５６を押下すれば、係合突起５４と装着部４６側の係合孔との係合を解除して、バッテリパック５０を本体ケース４０から取り外すことができる。
【００３２】
また、バッテリパック５０において、一対のレール５２の内側には、本体ケース４０の装着部４６に装着された状態で、装着部４６の裏面に設けられた電源端子やコネクタに接続される電源端子部５８及び接続端子部５９が設けられている。
【００３３】
このため、本体ケース４０にバッテリパック５０を装着すれば、バッテリパック５０から本体ケース４０への電力供給、及び、本体ケース４０とバッテリパック５０との間の通信が自動でなされることになる。
【００３４】
次に、本体ケース４０の把持部４２には、ＬＥＤ３の点灯・消灯を切り換えるための操作スイッチ４８が設けられている。この操作スイッチ４８は、使用者が把持部４２を把持した状態で、指でオン・オフできる位置に配置されている。
【００３５】
そして、把持部４２の内部には、図４に示すように、操作スイッチ４８の操作に応じて、ＬＥＤ３を点灯・消灯させたり、点灯状態（点灯時の明るさ等）を切り換えたりするための制御回路が組み付けられた回路基板４９が設けられている。
【００３６】
なお、制御回路は、バッテリパック５０が装着されて、電源端子部５８から電力供給を受けることにより起動する。そして、起動後は、バッテリパック５０の接続端子部５９からの入力信号に基づき、バッテリ状態を監視し、バッテリ電圧の低下時等には、ＬＥＤ３の点灯を禁止する。
【００３７】
次に、本体ケース４０の固定部４４は、図１，図２に示すように、発光部１０においてＬＥＤ３からの光を出射する開口部５とは反対側に配置された後方ケース７を挟持するよう、左右一対の挟持片にて構成されている。
【００３８】
そして、固定部４４を構成する左右の挟持片には、それぞれ、図２，図４に示すように、発光部１０の後方ケース７に設けられた取付孔９に挿入されて、発光部１０を取付孔９の中心軸周りに回動可能に支持する支持用突起４５が設けられている。
【００３９】
このため、発光部１０が本体ケース４０の固定部４４に取り付けられた状態では、支持用突起４５を中心として、開口部５の向きを図４に一点鎖線で示す放射状に変化させることができるようになる。
【００４０】
そして、発光部１０の後方ケース７には、固定部４４を構成する挟持片において支持用突起４５の周りに設けられた凹凸部４５ａに係合することで、開口部５の向きを、図４に一点鎖線で示す１２段階に切り替えて位置決めする、係合突起８が設けられている。
【００４１】
この係合突起８は、図５に示すように、後方ケース７に取付孔９と平行になるように設けられた貫通孔７Ａに収納されるスプリング８Ｂと、このスプリング８Ｂにより外方向に付勢されて後方ケース７の左右から突出される突出部８Ａとにより構成されている。
【００４２】
そして、係合突起８は、突出部８Ａがスプリング８Ｂの付勢力にて固定部４４の支持用突起４５に係合することで、図４に点線で示すように、発光部１０の開口部５の向きを位置決めする。
【００４３】
次に、発光部１０は、図５に示すように、ＬＥＤ３からの光を外部に出射するための開口部５を有する筒状の枠体１２と、ＬＥＤ３を保持して枠体１２の内部に固定するための円形のホルダ１４を備える。
【００４４】
ホルダ１４は、円環形状であり、円環の内側に、中心部分にＬＥＤ３が設けられた円板形状のＬＥＤ基板１５（図４参照）が固定されている。また、ホルダ１４には、ＬＥＤ３からの光を、枠体１２の開口部５方向に反射させるリフレクタ１６が設けられている。
【００４５】
ホルダ１４の外周には、周方向に等間隔で複数（本実施形態では３つ）の突起１８が設けられており、各突起１８の外周端縁には、ホルダ１４の外周に沿ってねじ山が形成されている。
【００４６】
そして、ホルダ１４は、各突起１８が、円筒形状の回動部材２０の内壁面に形成されたねじ山２０Ａに螺合されることで、回動部材２０を介して、枠体１２内に収納される。
回動部材２０は、枠体１２の内部で中心軸周りに回動可能な円筒形状であり、枠体１２とは反対側から挿入される保持部材２４を介して、枠体１２に固定される。
【００４７】
保持部材２４は、回動部材２０のねじ山２０Ａに螺合されるホルダ１４の各突起１８の間に挿入されて、ホルダ１４が中心軸周りに回動するのを阻止するためのものであり、発光部１０の枠体１２の後方に配置される後方ケース７から、枠体１２側に突出されている。
【００４８】
つまり、保持部材２４は、回動部材２０の内径よりも小さい円をホルダ１４の突起１８の数に応じて複数に分割した円弧形状になっており、後方ケース７において枠体１２と対向する外周端縁から間隔を空けて突出されている。
【００４９】
また、保持部材２４の枠体１２側先端部分の外周には、枠体１２の開口部５の内側に設けられた雌ねじ部１２Ａに螺合するためのねじ山２４Ａが形成されている。
このため、回動部材２０は、ホルダ１４を内部に保持した状態で、保持部材２４を介して枠体１２内に固定されることになり、この状態で回動部材２０を中心軸周りに回動させると、ホルダ１４（延いてはＬＥＤ３）が枠体１２の中心軸方向に移動することになる。
【００５０】
なお、後方ケース７は、円筒形状であり、保持部材２４が突出された枠体１２側の開口端部とは反対側が閉塞されている。
また、回動部材２０の枠体１２とは反対側には、後方ケース７の枠体１２側外周端部を覆うように、使用者が回動部材２０を回動操作するための操作部２２が設けられている。
【００５１】
また、回動部材２０を枠体１２内に収納する際には、枠体１２の開口部５の内側と保持部材２４の先端部分との間にレンズ３０を配置し、このレンズ３０にて、開口部５を閉塞するようにされている。
【００５２】
なお、レンズ３０は、レンズ面が開口部５からの光の出射方向に突出されたドーム型レンズにて構成されており、保持部材２４を枠体１２に固定した際、レンズ３０の周囲の鍔部３２が、保持部材２４の枠体１２側端面と枠体１２との間に挟まれることで、枠体１２の開口部５に固定される。
【００５３】
従って、使用者は、回動部材２０の操作部２２を回動操作することで、図４に点線及び矢印で示すように、ホルダ１４（延いてはＬＥＤ３）を枠体１２の中心軸方向に移動させ、ＬＥＤ３とレンズ３０との間の距離を調整できるようになる。
【００５４】
そして、このようにＬＥＤ３とレンズ３０との間の距離を調整すれば、ＬＥＤ３から放射された光や、リフレクタ１６にて反射された光が、レンズ３０を通って、外部に出射される際の光の照射範囲を、変化させることができるようになる。
【００５５】
また、この照射範囲の調整時には、枠体１２内でホルダ１４が中心軸方向に移動するだけであり、ホルダ１４を枠体１２内に収容する収容部材としての回動部材２０や保持部材２４が枠体１２の中心軸方向に移動することはない。
【００５６】
このため、本実施形態のフラッシュライト１によれば、照射範囲を調整することによって、発光部１０全体の長さが変化することがなく、狭い場所でも照射範囲を容易に調整できるようになる。
【００５７】
また、レンズ３０は、ドーム型レンズにて構成されているので、照射範囲内で光を均一に拡散させることができる。このため、本実施形態のフラッシュライト１によれば、照射対象物をムラなく均一に照射することができ、これによっても、フラッシュライト１の使い勝手を向上できる。
【００５８】
ところで、ＬＥＤ３は、ＬＥＤ基板１５、ホルダ１４、回動部材２０、及び、保持部材２４が突出された後方ケース７を介して、枠体１２内に収納されるが、ＬＥＤ３は点灯（換言すれば通電）により発熱する。
【００５９】
このため、本実施形態では、ＬＥＤ３を枠体１２内に収納するのに用いられる、ホルダ１４、回動部材２０、及び、保持部材２４を含む後方ケース７は、放熱し易い金属（例えばアルミニウム）にて構成されている。
【００６０】
なお、枠体１２は合成樹脂製である。そして、上記各部についても、全て金属製にする必要はなく、一部は枠体１２と同じ合成樹脂製にしてもよい。
また、ＬＥＤ３が実装されるＬＥＤ基板１５からは、ＬＥＤ３への通電用のリード線１５Ａが引き出されるが、後方ケース７内で振動等によりリード線１５Ａが動くと、断線・短絡等の故障が発生することがある。
【００６１】
このため、本実施形態では、ＬＥＤ基板１５から引き出されたリード線１５Ａは、保護用のチューブ１７（例えば、熱収縮チューブ）に挿通されている。そして、リード線１５Ａは、チューブ１７に通した状態で、後方ケース７の取付孔９から本体ケース４０側に引き出され、本体ケース４０内の回路基板４９に接続される。
【００６２】
従って、ＬＥＤ基板１５から引き出されたリード線１５Ａは、チューブ１７で保護され、振動等によって断線・短絡等の故障が発生するのを抑制できる。
なお、チューブ１７で保護されたリード線１５Ａ全体の大きさ（詳しくはチューブ１７を含む径）は、振動等でリード線１５Ａが噛み込み易い隙間よりも大きくしてもよい。
【００６３】
つまり、例えば、リード線１５Ａは、ホルダ１４と回動部材２０との間の隙間、或いは、ホルダ１４と保持部材２４との間の隙間に入ると、操作部２２を介して回動部材２０を回動させた際に、これらの隙間に噛み込まれることがある。
【００６４】
そして、このようにリード線１５Ａが噛み込まれると、リード線１５Ａが断線或いは短絡することが考えられるが、上記のようにリード線１５Ａをチューブ１７で保護し、その大きさを、噛み込み易い隙間よりも大きくすれば、噛み込みによって断線・短絡等が発生するのを抑制できる。
【００６５】
以上、本開示の一実施形態について説明したが、本開示のフラッシュライトは、上記実施形態に限定されるものではなく、種々変形して実施することができる。
例えば、上記実施形態では、保持部材２４は、後方ケース７の枠体１２側端部に突設されているものとして説明したが、図６，図７に示す変形例のように、保持部材２４は、後方ケース７に装着可能な環状部材２６に設けるようにしてもよい。
【００６６】
つまり、この環状部材２６には、後方ケース７の開口部の内周面に設けられた雌ねじ部７Ｂに螺合可能なねじ部２６Ａが設けられており、このねじ部２６Ａを後方ケース７の雌ねじ部７Ｂに螺合することにより、後方ケース７に固定できるようになっている。
【００６７】
そして、環状部材２６の、後方ケース７とは反対側には、保持部材２４が突設されている。従って、保持部材２４は、環状部材２６を介して、後方ケース７に固定することで、上記実施形態と同様、後方ケース７から枠体１２に向けて突出されることになる。
【００６８】
また、図６，図７に示す変形例の発光部１０においては、保持部材２４の枠体１２側先端部分に形成されたねじ山２４Ａを、環状の固定部材２８の内側に形成さられた雌ねじ部２８Ａに螺合することで、ホルダ１４を含む回動部材２０を、固定部材２８と保持部材２４とで挟持するように構成されている。
【００６９】
固定部材２８は、枠体１２の内側に回動不能に嵌合できるようになっており、その嵌合時に、枠体１２の開口部５の内側と、固定部材２８に螺合される保持部材２４の先端部分との間にレンズ３０を配置することで、開口部５にレンズ３０を固定できる。
【００７０】
従って、図６，図７に示す変形例の発光部１０によれば、ホルダ１４を含む回動部材２０を固定部材２８と保持部材２４とで挟持させることで、発光部１０の本体部分を構成でき、その本体部分を枠体１２で覆うことで、開口部５にレンズ３０を備えた発光部１０を構成できることになる。
【００７１】
よって、レンズ交換等は、本体部分から保護カバーとなる枠体１２を外すことで、容易に行うことができる。また、本体部分は、後方ケース７から一体的に取り外すことができるので、本体部分の修理、交換も容易に行うことができる。
【００７２】
また、上記実施形態では、光源であるＬＥＤ３を保持したホルダ１４を、枠体１２内で枠体１２の中心軸方向に移動させるために、ホルダ１４の外周にねじを構成する突起１８を設け、この突起１８を回動部材２０の内周面のねじ山２０Ａに螺合している。
【００７３】
このため、上記実施形態によれば、操作部２２を介して回動部材２０を回動させることで、レンズ３０に対するＬＥＤ３の位置を調整できるが、こうした位置調整は、必ずしも回動部材２０を利用する必要はない。
【００７４】
つまり、例えば、ホルダ１４を、回動部材２０のような筒状の収容部材を介して、枠体１２内でその中心軸方向に移動可能に収容し、その収容されたホルダ１４を外部操作によって直接中心軸方向に移動させるようにしても、ホルダ１４の位置調整を実施することができる。
【００７５】
また、上記実施形態では、発光部１０において、枠体１２の開口部５とは反対側には後方ケース７が設けられ、後方ケース７は、電動工具用のバッテリパック５０を装着可能な本体ケース４０に回動可能に取り付けられるものとして説明した。
【００７６】
これに対し、後方ケース７を使用者が把持可能な長さにして、後方ケース７に電動工具用のバッテリパック５０を装着できるようにしてもよい。
また、電源として、電動工具用のバッテリパック５０を必ずしも使用できるように必要はなく、乾電池や他の電子機器で使用される二次電池等を利用できるようにしてもよい。
【００７７】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００７８】
１…フラッシュライト、３…ＬＥＤ、５…開口部、７…後方ケース、８…係合突起、９…取付孔、１０…発光部、１２…枠体、１４…ホルダ、１５…ＬＥＤ基板、１５Ａ…リード線、１６…リフレクタ、１７…チューブ、１８…突起、２０…回動部材、２２…操作部、２４…保持部材、２６…環状部材、２８…固定部材、３０…レンズ、４０…本体ケース、４２…把持部、４４…固定部、４５…支持用突起、４６…装着部、４８…操作スイッチ、５０…バッテリパック、５２…レール、５４…係合突起、５６…操作部、５８…電源端子部、５９…接続端子部。
【図１】
2018129194.tif 000003
【図２】
2018129194.tif 000004
【図３】
2018129194.tif 000005
【図４】
2018129194.tif 000006
【図５】
2018129194.tif 000007
【図６】
2018129194.tif 000008
【図７】
2018129194.tif 000009
【手続補正書】
【提出日】平成30年6月18日(2018.6.18)
【手続補正１】
【補正対象書類名】特許請求の範囲
【補正対象項目名】請求項７
【補正方法】変更
【補正の内容】
【請求項７】
前記光源は、ＬＥＤにて構成されており、前記ホルダ、前記回動部材、及び、前記保持部材の少なくとも一つは、前記ＬＥＤの点灯により発生する熱を放熱可能な金属製である、請求項２又は請求項２を引用する請求項３〜請求項６の何れか１項に記載のフラッシュライト。